(57)【要約】【課題】低消費電力化に加えて、操作性の向上が図られた表示装置を提供する。【解決手段】表示装置である操作パネル３０は、画面上に１または複数の情報と１または複数の入力キーとを表示するとともに、入力キーの操作を受け付けるタッチパネル部３７ｂを有する操作表示部３７と、個別に点灯が可能な複数の光源３８ａで構成され、操作表示部３７に向かって光を照射する光源部３８と、前記情報のうち予め設定された一部の情報である限定情報と、前記入力キーのうち予め設定された一部の入力キーである限定入力キーとを記憶する記憶部４０と、記憶部４０に記憶された限定情報及び／または限定入力キーを操作表示部３７に表示させ、操作表示部３７に表示させた限定情報及び／または限定入力キーに対応する箇所のみ光源３８ａを点灯させる操作制御部３９と、を備える。【選択図】図７
2012032580.tif 000002
【特許請求の範囲】
【請求項１】
画面上に１または複数の情報と１または複数の入力キーとを表示するとともに、前記入力キーの操作を受け付けるタッチパネル部を有する操作表示部と、
個別に点灯が可能な複数の光源で構成され、前記操作表示部に向かって光を照射する光源部と、
前記情報のうち予め設定された一部の情報である限定情報と、前記入力キーのうち予め設定された一部の入力キーである限定入力キーとを記憶する記憶部と、
前記記憶部に記憶された前記限定情報及び／または前記限定入力キーを前記操作表示部に表示させ、前記操作表示部に表示させた前記限定情報及び／または前記限定入力キーに対応する箇所のみ前記光源を点灯させる操作制御部と、
を備えることを特徴とする表示装置。
【請求項２】
前記操作表示部に表示させた前記限定情報及び／または前記限定入力キーは互いに隣接していることを特徴とする請求項１に記載の表示装置。
【請求項３】
前記操作表示部に表示させた前記限定情報及び／または前記限定入力キーは各々１個であることを特徴とする請求項１または請求項２に記載の表示装置。
【請求項４】
前記操作制御部は、前記操作表示部に前記限定情報を表示させているとき、前記操作表示部が押下されたことを条件として前記光源部のすべての前記光源を点灯させることを特徴とする請求項１〜請求項３のいずれか１項に記載の表示装置。
【請求項５】
前記操作制御部は、前記操作表示部に前記限定入力キーを表示させているとき、前記操作表示部の前記限定入力キー以外の箇所が押下されたことを条件として前記光源部のすべての前記光源を点灯させることを特徴とする請求項１〜請求項３のいずれか１項に記載の表示装置。
【請求項６】
請求項１〜請求項５のいずれか１項に記載の表示装置を搭載したことを特徴とする画像形成装置。
【請求項７】
原稿に記載された画像データを読み取る画像読取部と、
画像データを読み取るために載置された原稿の有無を検出する原稿検出部と、
前記原稿検出部からの原稿ありの情報に基づき前記表示装置の前記操作制御部に対して指令を送り、前記記憶部に記憶された前記限定情報及び／または前記限定入力キーを前記操作表示部に表示させ、前記操作表示部に表示させた前記限定情報及び／または前記限定入力キーに対応する箇所のみ前記光源を点灯させる本体制御部と、
を備えることを特徴とする請求項６に記載の画像形成装置。
【発明の詳細な説明】
【技術分野】
【０００１】
本発明は、タッチパネル機能を有し、その操作によってキー入力が可能な表示装置に関する。また、この表示装置を搭載した画像形成装置に関する。
【背景技術】
【０００２】
近年、携帯型情報機器に代表される多くの電化製品に、前面にタッチパネル部を備えた表示装置が搭載されている。複写機やプリンタ、ファクシミリ、スキャナといった画像形成装置も同様に、その装置正面に表示装置を備えているものがある。このような表示装置は一般的にタッチパネル部が設けられ、液晶などで構成された画面上に様々な情報や入力キーを表示するとともに、その入力キーに手で直接、或いはタッチペンなどの入力補助具で触れることにより、文字入力や命令実行などの操作を受け付ける。
【０００３】
また、表示装置は蛍光ランプやＬＥＤなどで構成されるバックライトを備えている。そして、このバックライトが多くの電力を消費するので、表示装置の低消費電力化に関連する様々な技術が提案され、その例を特許文献１及び２に見ることができる。特許文献１に記載された液晶表示装置は多数のランプを用いて、特定の領域の明るさを他の領域の明るさより相対的に高くするようにしている。特許文献２に記載された液晶表示装置は多数のＬＥＤを用いて、分割した領域各々の光の輝度を制御するようにしている。
【先行技術文献】
【特許文献】
【０００４】
【特許文献１】特開２００５−９２１８４号公報
【特許文献２】特開２００５−３３８８５７号公報
【発明の概要】
【発明が解決しようとする課題】
【０００５】
しかしながら、特許文献１及び２に記載された液晶表示装置はバックライトの明るさや輝度の調整のみに注目しており、表示装置としてのユーザの使い勝手を考慮しているわけではない。すなわち、様々な機器に搭載される表示装置としては、その低消費電力化を図りながら、操作上必要な情報や入力キーを限定して画面上に表示させるようにする工夫を凝らすことが望まれる。
【０００６】
本発明は上記の点に鑑みなされたものであり、低消費電力化に加えて、操作性の向上が図られた表示装置を提供することを目的とする。また、このような表示装置を搭載し、良好な使い勝手を備えた画像形成装置を提供することを目的とする。
【課題を解決するための手段】
【０００７】
上記の課題を解決するため、本発明は表示装置において、画面上に１または複数の情報と１または複数の入力キーとを表示するとともに、前記入力キーの操作を受け付けるタッチパネル部を有する操作表示部と、個別に点灯が可能な複数の光源で構成され、前記操作表示部に向かって光を照射する光源部と、前記情報のうち予め設定された一部の情報である限定情報と、前記入力キーのうち予め設定された一部の入力キーである限定入力キーとを記憶する記憶部と、前記記憶部に記憶された前記限定情報及び／または前記限定入力キーを前記操作表示部に表示させ、前記操作表示部に表示させた前記限定情報及び／または前記限定入力キーに対応する箇所のみ前記光源を点灯させる操作制御部と、を備えることとした。
【０００８】
この構成によれば、操作表示部に表示される数多くの情報、入力キーのうち、予め設定された必要最小限の情報、入力キーのみが操作表示部に表示される。したがって、光源部の電力消費が抑制され、且つユーザが余計な情報や入力キーを見なくて済み、操作上の混乱を回避できる。
【０００９】
また、上記構成の表示装置において、前記操作表示部に表示させた前記限定情報及び／または前記限定入力キーは互いに隣接していることとした。
【００１０】
この構成によれば、操作表示部に限定情報及び／または限定入力キーを複数表示した場合でも、情報や入力キーが一箇所に集められ、点灯させる光源の数もより少なくすることができる。したがって、表示装置の操作性、低消費電力化が一層高められる。
【００１１】
また、上記構成の表示装置において、前記操作表示部に表示させた前記限定情報及び／または前記限定入力キーは各々１個であることとした。
【００１２】
この構成によれば、操作表示部に表示される情報、入力キーがより一層限定されるので、ユーザは表示装置の操作に迷うことがなくスムーズに使用することが可能になる。
【００１３】
また、上記構成の表示装置において、前記操作制御部は、前記操作表示部に前記限定情報を表示させているとき、前記操作表示部が押下されたことを条件として前記光源部のすべての前記光源を点灯させることとした。
【００１４】
この構成によれば、操作表示部に必要最小限の情報のみを表示させながら、さらに多くの他の情報の表示を必要とするときには直ちにこれに対応することができる。
【００１５】
また、上記構成の表示装置において、前記操作制御部は、前記操作表示部に前記限定入力キーを表示させているとき、前記操作表示部の前記限定入力キー以外の箇所が押下されたことを条件として前記光源部のすべての前記光源を点灯させることとした。
【００１６】
この構成によれば、操作表示部に必要最小限の入力キーのみを表示させながら、さらに多くの他の入力キーの表示を必要とするときには直ちにこれに対応することができる。
【００１７】
また本発明では、上記構成の表示装置を画像形成装置に搭載することとした。
【００１８】
この構成によれば、画像形成装置において表示装置の電力消費が抑制され、且つユーザが余計な情報や入力キーを見なくて済み、表示装置の操作上の混乱を回避できる。
【００１９】
また、上記構成の画像形成装置において、原稿に記載された画像データを読み取る画像読取部と、画像データを読み取るために載置された原稿の有無を検出する原稿検出部と、前記原稿検出部からの原稿ありの情報に基づき前記表示装置の前記操作制御部に対して指令を送り、前記記憶部に記憶された前記限定情報及び／または前記限定入力キーを前記操作表示部に表示させ、前記操作表示部に表示させた前記限定情報及び／または前記限定入力キーに対応する箇所のみ前記光源を点灯させる本体制御部と、を備えることとした。
【００２０】
この構成によれば、画像データを読み取るべく原稿を載置することにより自動的に必要最小限の情報、入力キーのみが操作表示部に表示される。これにより、低消費電力化や操作性を容易に高めることが可能となる。
【発明の効果】
【００２１】
本発明の構成によれば、低消費電力化に加えて、操作性の向上が図られた表示装置を提供することができる。また、このような表示装置を搭載し、良好な使い勝手を備えた画像形成装置を提供することができる。
【図面の簡単な説明】
【００２２】
【図１】本発明の第１の実施形態に係る表示装置を搭載した画像形成装置の模型的垂直断面正面図である。
【図２】図１の画像形成装置の構成を示すブロック図である。
【図３】図１に示す画像形成装置の操作パネル（表示装置）の正面図である。
【図４】図３の操作パネルの操作表示部の光源の配置を示す正面図である。
【図５】図３に示す操作パネルの操作表示部の正面図である。
【図６】図５と同様の操作表示部の正面図にして、限定情報のみを表示した状態を示すものである。
【図７】図５及び図６に示す操作表示部の表示に係る動作を示すフローチャートである。
【図８】本発明の第２の実施形態に係る表示装置（操作パネル）の限定情報のみを表示した操作表示部の正面図である。
【発明を実施するための形態】
【００２３】
以下、本発明の実施形態を図１〜図８に基づき説明する。
【００２４】
最初に、本発明の第１の実施形態に係る表示装置を搭載した画像形成装置について、図１及び図２を用いてその構造の概略を説明しつつ、画像出力動作を説明する。図１は画像形成装置の模型的垂直断面正面図、図２は画像形成装置の構成を示すブロック図である。
【００２５】
画像形成装置１は、図１に示すように本体２の内部下方に給紙カセット３を備えている。給紙カセット３はその内部に印刷前のカットペーパーなどの用紙Ｐを積載して収容している。そして、この用紙Ｐは図１において給紙カセット３の左上方に向け、１枚ずつ分離されて送り出される。給紙カセット３は本体２の正面側から水平に引き出すことが可能である。
【００２６】
本体２の内部であって給紙カセット３の左方には第１用紙搬送部４が備えられている。第１用紙搬送部４は本体２の左側面に沿って略垂直に形設されている。そして、第１用紙搬送部４は給紙カセット３から送り出された用紙Ｐを受け取り、本体２の左側面に沿って垂直上方に二次転写部５まで搬送する。
【００２７】
給紙カセット３の上方であって第１用紙搬送部４が形設された本体２の左側面とは反対側の側面である右側面の箇所には手差し給紙部６が備えられている。手差し給紙部６には給紙カセット３に入っていないサイズの用紙や、厚紙、ＯＨＰシートのように１枚ずつ手で送り込みたいものが載置される。
【００２８】
手差し給紙部６の左方には第２用紙搬送部７が備えられている。第２用紙搬送部７は給紙カセット３のすぐ上方にあって、手差し給紙部６から第１用紙搬送部４まで略水平に延びて第１用紙搬送部４に合流している。そして、第２用紙搬送部７は手差し給紙部６から送り出された用紙を受け取り、略水平に第１用紙搬送部４まで搬送する。
【００２９】
一方、画像形成装置１の本体２の上面には原稿搬送装置８が、その下方の本体２内部には画像読取部９が備えられている。ユーザが原稿の複写を行う場合には、文字や図形、模様などの画像が描かれた原稿を、原稿搬送装置８に積載したり、画像読取部９上面の図示しないコンタクトガラス上に載置したりする。
【００３０】
原稿搬送装置８では原稿検出部である原稿載置センサ８ａが原稿の有無を検出し、１枚或いは複数枚の原稿が１枚ずつ分離して送り出されて画像読取部９によってその画像が読み取られる。また、画像読取部９には原稿を読み取るためのラインセンサ９ａが設けられ、画像読取部９内で光を走査させることによって画像が読み取られる。画像読取部９は開放された原稿搬送装置８がコンタクトガラスに向かって閉じられる際、ラインセンサ９ａで読み取りを行うことで原稿の有無を検出できるので、ラインセンサ９ａがコンタクトガラス上の原稿に対しての原稿検出部と言える。なお、原稿搬送装置８の開閉を検知するための図示しない開閉検知センサも設けられている。
【００３１】
原稿画像の読み取り、すなわち画像形成の開始は本体２の上部であって画像読取部９の正面側に備えられた表示装置である操作パネル３０を用いて指示される。操作パネル３０はユーザによる印刷に使用する用紙の種類やサイズ、拡大縮小、両面印刷の有無といった印刷条件設定などを受け付ける。なお、操作パネル３０の詳細な構成は後述する。
【００３２】
原稿の画像データの情報は後述する本体制御部２０等を経由して画像処理が施された後、第２用紙搬送部７の上方であって、本体２の中央部に配置された露光部１０に送られる。露光部１０により、画像データに基づいて制御されたレーザ光Ｌが画像形成部１１に向かって照射される。
【００３３】
露光部１０の上方には計４台の画像形成部１１が、さらにそれら各画像形成部１１の上方には中間転写体を無端ベルトの形で用いた中間転写ベルト１２が備えられている。中間転写ベルト１２は複数のローラに巻き掛けられて支持され、図示しない駆動装置により図１において時計方向に回転する。
【００３４】
４台の画像形成部１１は、図１に示すように中間転写ベルト１２の回転方向に沿って回転方向上流側から下流側に向けて一列にして配置された所謂タンデム方式である。４台の画像形成部１１とは、上流側から順にイエロー用の画像形成部１１Ｙ、マゼンタ用の画像形成部１１Ｍ、シアン用の画像形成部１１Ｃ、及びブラック用の画像形成部１１Ｂである。これらの画像形成部１１には、各色に対応する現像剤供給容器及び搬送手段（図示せず）により現像剤（トナー）が補給される。なお、以下の説明において、特に限定する必要がある場合を除き、画像形成部１１の「Ｙ」「Ｍ」「Ｃ」「Ｂ」の識別記号は省略するものとする。
【００３５】
各画像形成部１１では、露光部１０によって照射されたレーザ光Ｌにより原稿画像の静電潜像が形成され、この静電潜像からトナー像が現像される。トナー像は、各画像形成部１１の上方に備えられた一次転写部１３で、中間転写ベルト１２表面に一次転写される。そして、中間転写ベルト１２の回転とともに所定のタイミングで各画像形成部１１のトナー像が中間転写ベルト１２に転写されることにより、中間転写ベルト１２表面にはイエロー、マゼンタ、シアン、ブラックの４色のトナー像が重ね合わされたカラートナー像が形成される。
【００３６】
中間転写ベルト１２が用紙搬送路に懸かる箇所には二次転写部５が配置されている。中間転写ベルト１２表面のカラートナー像は第１用紙搬送部４によって同期をとって送られてきた用紙Ｐに、二次転写部５に形成される二次転写ニップ部で転写される。
【００３７】
二次転写後、中間転写ベルト１２表面に残留するトナーなどの付着物は中間転写ベルト１２に対してイエロー用の画像形成部１１Ｙの回転方向上流側に設けられた中間転写ベルト１２用のクリーニング部１４によってクリーニングされ、回収される。
【００３８】
二次転写部５の上方には定着部１５が備えられている。二次転写部５にて未定着トナー像を担持した用紙Ｐは定着部１５へと送られ、熱ローラと加圧ローラとによりトナー像が加熱、加圧されて定着される。
【００３９】
定着部１５の上方には用紙案内部１６が備えられている。定着部１５から排出された用紙Ｐは両面印刷を行わない場合、用紙案内部１６から画像形成装置１の上部に設けられた胴内用紙排出部１７に排出される。
【００４０】
用紙案内部１６から胴内用紙排出部１７に向かって用紙Ｐが排出されるその排出口部分はスイッチバック部１８としての機能を果たす。両面印刷を行う場合にはこのスイッチバック部１８において定着部１５から排出された用紙Ｐの搬送方向が切り替えられる。そして、用紙Ｐは用紙案内部１６を通過し、定着部１５の左方、及び二次転写部５の左方に設けられた両面印刷用用紙搬送路１９を通して下方に送られ、再度第１用紙搬送部４を経て二次転写部５へと送られる。
【００４１】
また、画像形成装置１は装置全体の動作制御のため、図２に示すようにその本体２内にＣＰＵ２１やその他の図示しない電子部品で構成された本体制御部２０を備えている。本体制御部２０はＣＰＵ２１を中央演算処理装置として使用し、記憶部２２などに記憶、入力されたプログラム、データに基づき画像読取部９、画像形成部１１、中間転写ベルト１２、定着部１５などといった構成要素を制御して一連の画像形成動作を実現する。本体制御部２０はユーザによる画像形成装置１の動作に係る条件設定を操作パネル３０から受け付ける。
【００４２】
続いて、表示装置である操作パネル３０の詳細な構成について、図２に加えて、図３〜図６を用いて説明する。図３は画像形成装置１の操作パネル３０の正面図、図４は操作パネル３０の操作表示部の光源の配置を示す正面図、図５は操作表示部の正面図、図６は図５と同様の操作表示部の正面図にして、限定情報のみを表示した状態を示すものである。
【００４３】
操作パネル３０は、図２及び図３に示すようにテンキー３１、スタートキー３２、ストップキー３３、リセットキー３４、エンターキー３５、クリアキー３６、操作表示部３７、光源部３８、操作制御部３９、及び記憶部４０を備えている。
【００４４】
テンキー３１、スタートキー３２、ストップキー３３、リセットキー３４、エンターキー３５、及びクリアキー３６は、図３に示すように操作パネル３０の右側の領域に配置されている。テンキー３１は数字入力を受け付けるキーであって、０から９までの数字及び「＊」「＃」が記されている。スタートキー３２は各種動作の開始指示を受け付けるキーである。ストップキー３３は各種動作の停止指示を受け付けるキーである。リセットキー３４は各種設定のリセット指示を受け付けるキーである。エンターキー３５は各種設定を許諾する所謂「ＯＫ」の指示と同様の働きをするキーである。クリアキー３６は入力した数字や文字、記号を消去するキーである。
【００４５】
操作表示部３７は図３に示すように操作パネル３０の中央部に配置されている。そして、操作表示部３７は図２に示すように液晶表示部３７ａ、タッチパネル部３７ｂ、及び光源部３８を備えている。液晶表示部３７ａは入力、設定、指示などの複数のキーや情報、項目を、液晶を用いて表示している。タッチパネル部３７ｂは液晶表示部３７ａの上方に重ねて配置され、ユーザが指などで接触することにより液晶表示部３７ａに表示されたキーの入力や項目の選択を受け付ける。
【００４６】
光源部３８は操作表示部３７の液晶表示部３７ａに向かって光を照射するバックライトである。光源部３８は、図４に示すように複数、例えば１２個の点光源であるＬＥＤ３８ａで構成されている。各々のＬＥＤ３８ａは液晶表示部３７ａの区分された一定の領域（面）に光を照射する。操作制御部３９は各々のＬＥＤ３８ａを個別に制御して点灯させることができる。なお、ＬＥＤ３８ａに代えて複数のランプを用いても構わない。
【００４７】
操作制御部３９は図示しないＩＣなどの電子部品で構成され、本体制御部２０による制御に基づき操作パネル３０を制御する制御装置である。操作制御部３９は本体制御部２０からの制御指令により、記憶部２２や記憶部４０などに記憶されたプログラム、データに基づいて表示する入力キーや情報の種類、レイアウトを設定することで操作表示部３７を表示制御する。また、操作制御部３９はテンキー３１、スタートキー３２などの各キーやタッチパネル部３７ｂからの情報に基づいてユーザが操作した入力キーを特定してユーザの操作指示として受け付け、その指示を必要に応じて本体制御部２０に送信する。
【００４８】
ここで、操作パネル３０は図５に示すコピー設定画面５０を操作表示部３７に表示することができる。コピー設定画面５０にはメッセージ表示部５１、部数表示部５２、プレビュー部５３、設定表示部５４、及びタブ部５５が配置されている。
【００４９】
メッセージ表示部５１はコピー設定画面５０の上端部左側に設けられている。メッセージ表示部５１には、例えば現在コピーが可能であったり、コピー中であったり、エラーが発生している状態であったりといったユーザに対するメッセージが表示される。
【００５０】
部数表示部５２はコピー設定画面５０の上端部右側に設けられている。部数表示部５２にはコピーを行う際の印刷部数が表示される。印刷部数はテンキー３１により変更が可能である。
【００５１】
プレビュー部５３はコピー設定画面５０の上下方向中央部左側に設けられている。プレビュー部５３には画像読取部９で読み取った原稿の画像データのプレビューや選択された印刷用紙Ｐのサイズや向きなどが表示される。
【００５２】
設定表示部５４はコピー設定画面５０の略中央部に、タブ部５５はコピー設定画面５０の下部に設けられている。設定表示部５４には、例えば選択した印刷用紙のサイズや拡大縮小、濃度などといったコピーに関する各種設定の入力キー５４ａとその設定内容についての情報が表示される。設定表示部５４に表示される内容はタブ部５５の各種タブ５５ａを選択することにより切り替えることができる。例えば、図５に示す設定表示部５４には「簡単設定」タブ５５ａの内容が表示されている。タブ５５ａは横方向に、例えば５個並べられている。
【００５３】
そして、操作表示部３７に表示させる情報や入力キーは、図５に示すコピー設定画面５０全体として表示する方法のほか、図６に示すように一部に限定して表示する方法もある。図６では限定情報として、例えばコピー設定画面５０の部数表示部５２の印刷部数のみが表示されている。このような限定情報は予め設定され、記憶部２２や記憶部４０などに記憶されている。限定情報を表示するとき、操作制御部３９は光源部３８の、限定情報に対応する箇所のみＬＥＤ３８ａを点灯させる。また、図５に示すコピー設定画面５０全体表示と、図６に示す限定表示とを切り替えるタイミングも予め設定され、記憶部２２や記憶部４０などに記憶されている。
【００５４】
続いて、図５及び図６に示す操作表示部３７の表示に係る動作について、図７に示すフローに沿って説明する。図７は図５及び図６に示す操作表示部３７の表示に係る動作を示すフローチャートである。
【００５５】
画像形成装置１を起動させてコピーが可能な状態にさせると（図７のスタート）、本体制御部２０は原稿搬送装置８または画像読取部９に原稿が載置されたか否かを判定し（ステップ＃１０１）、載置されるまで待機する（ステップ＃１０１のＮｏ）。原稿搬送装置８では原稿載置センサ８ａが原稿の有無を検出し、画像読取部９ではラインセンサ９ａが原稿の有無を検出してその情報が本体制御部２０に送られる。
【００５６】
なお、この待機状態にあるとき、操作パネル３０の操作表示部３７は、図５に示すように全体の情報、入力キー等が表示されている。
【００５７】
原稿が載置されると（ステップ＃１０１のＹｅｓ）、本体制御部２０は原稿搬送装置８または画像読取部９からの原稿ありの情報に基づき操作パネル３０の操作制御部３９に指令を送り、図６に示すように記憶部２２や記憶部４０などに記憶された限定情報である部数表示部５２の印刷部数のみを操作表示部３７に表示させる（ステップ＃１０２）。これにより、操作表示部３７に表示される数多くの情報、入力キーのうち、予め設定された必要最小限の情報である印刷部数のみが操作表示部３７に表示される。したがって、光源部３８の電力消費が抑制され、且つユーザが余計な情報や入力キーを見なくて済み、操作上の混乱を回避できる。
【００５８】
なお、限定情報は複数であっても良いが、図６に示すように１個であることが望ましい。これにより、操作表示部３７に表示される情報がより一層限定されるので、ユーザは操作パネル３０の操作に迷うことがなくスムーズに使用することが可能になる。
【００５９】
そして、操作パネル３０において、操作制御部３９はユーザが操作表示部３７を指などで押下したか否かを判定する（ステップ＃１０３）。操作表示部３７が指などで押下されることなく（ステップ＃１０３のＮｏ）テンキー３１によって印刷部数が入力されると（ステップ＃１０４）、操作制御部３９はスタートキー３２が押下されたか否かを判定する（ステップ＃１０５）。操作制御部３９は操作表示部３７、スタートキー３２のいずれかが押下されるまで待機する（ステップ＃１０３及び＃１０５のＮｏ）。
【００６０】
ステップ＃１０５においてスタートキー３２が押下されると（ステップ＃１０５のＹｅｓ）、その情報を操作制御部３９から受けた本体制御部２０は画像形成部１１などを制御して印刷を実行する（ステップ＃１０６）。そして、本体制御部２０は一連のコピー動作を終了する（図７のエンド）。なおこの後、操作表示部３７は、図５に示すように全体の情報、入力キー等が表示される。
【００６１】
一方、ステップ＃１０３において操作表示部３７が指などで押下されたとき（ステップ＃１０３のＹｅｓ）、操作制御部３９は光源部３８のすべてのＬＥＤ３８ａを点灯させ、図５に示すように操作表示部３７全体の情報、入力キー等を表示させる。これにより、操作表示部３７に必要最小限の情報のみを表示させながら、ユーザがさらに多くの他の情報の表示を必要とするときには直ちにこれに対応することができる。
【００６２】
そして、操作制御部３９は操作表示部３７またはその他の操作パネル３０上の入力キーから諸設定の入力（ステップ＃１０８）と、印刷部数の入力（ステップ＃１０９）とを受け付ける。続いて、操作制御部３９はスタートキー３２が押下されたか否かを判定し（ステップ＃１１０）、押下されるまで待機する（ステップ＃１１０のＮｏ）。
【００６３】
ステップ＃１１０においてスタートキー３２が押下されると（ステップ＃１１０のＹｅｓ）、その情報を操作制御部３９から受けた本体制御部２０は画像形成部１１などを制御して印刷を実行する（ステップ＃１０６）。そして、本体制御部２０は一連のコピー動作を終了する（図７のエンド）。
【００６４】
このようにして、画像データを読み取るべく原稿を原稿搬送装置８または画像読取部９に載置することにより自動的に必要最小限の情報のみが操作表示部３７に表示される。これにより、低消費電力化や操作性を容易に高めることが可能となる。
【００６５】
そして、上記実施形態の構成によれば、低消費電力化に加えて、操作性の向上が図られた表示装置である操作パネル３０を提供することができる。また、このような操作パネル３０を搭載し、良好な使い勝手を備えた画像形成装置１を提供することができる。
【００６６】
次に、本発明の第２の実施形態に係る表示装置である操作パネルについて、図８を用いて説明する。図８は操作パネルの限定情報のみを表示した操作表示部の正面図である。なお、この実施形態の基本的な構成は図１〜図７を用いて説明した前記第１の実施形態と同じであるので、第１の実施形態と共通する構成要素には前と同じ符号を付し、図面の記載及びその説明を省略するものとする。
【００６７】
第２の実施形態に係る操作パネル３０の操作表示部３７は、図８に示すように限定情報としてのコピー設定画面５０の部数表示部５２の印刷部数と、限定入力キーとしての用紙選択キー５４ａとを表示している。用紙選択キー５４ａは部数表示部５２に隣接して表示されている。これにより、操作表示部３７に限定情報及び限定入力キーを複数表示した場合でも、情報や入力キーが一箇所に集められ、点灯させる光源３８ａの数もより少なくすることができる。したがって、操作パネル３０の操作性、低消費電力化が一層高められる。
【００６８】
そして、操作表示部３７の用紙選択キー５４ａ以外の箇所がユーザにより押下されと、操作制御部３９はそれを条件として光源部３８のすべての光源３８ａを点灯させ、通常のコピー設定画面５０に戻す（図５参照）。これにより、操作表示部３７に必要最小限の入力キーのみを表示させながら、ユーザがさらに多くの他の入力キーの表示を必要とするときには直ちにこれに対応することができる。
【００６９】
以上、本発明の実施形態につき説明したが、本発明の範囲はこれに限定されるものではなく、発明の主旨を逸脱しない範囲で種々の変更を加えて実施することができる。
【００７０】
例えば、本発明の上記実施形態では画像形成装置１に搭載された操作パネル３０（表示装置）を例に掲げて説明したが、発明の適用対象となる機器は画像形成装置に限定されるわけではなく、画像形成装置以外の携帯電話、ＰＤＡなどといった他の電子機器に本発明の表示装置を搭載することにしても構わない。
【００７１】
また、操作パネル３０を搭載した画像形成装置１は中間転写ベルトを用いてトナー像を用紙に転写するカラー印刷用の画像形成装置であるが、発明の適用対象となる画像形成装置がこのような種類に限定されるわけではなく、中間転写ベルトを用いない画像形成装置や白黒印刷用の画像形成装置であっても構わない。
【００７２】
また、第１の実施形態では部数表示部５２を限定情報とし、第２の実施形態では用紙選択キー５４ａを限定入力キーとしたが、限定情報や限定入力キーはこれら情報や入力キーに限定されるわけではなく、他の情報や入力キーであっても構わない。
【００７３】
また、上記実施形態では原稿搬送装置８または画像読取部９からの原稿ありの情報に基づき限定情報や限定入力キーのみを操作表示部３７に表示させることとしているが、限定情報や限定入力キーのみを操作表示部３７に表示させるタイミングついてはこれに限定されるわけではなく、他のタイミングで表示させても構わない。例えば、基本的に常時限定情報や限定入力キーのみを操作表示部３７に表示させ、ユーザが必要に応じて操作表示部３７の他の箇所を押下することにより全体表示にすることにしても良い。
【産業上の利用可能性】
【００７４】
本発明は、タッチパネル機能を有し、その操作によってキー入力が可能な表示装置において利用可能である。
【符号の説明】
【００７５】
１    画像形成装置
８    原稿搬送装置
８ａ  原稿検知センサ（原稿検出部）
９    原稿読取部
９ａ  ラインセンサ（原稿検出部）
２０  本体制御部
２２  記憶部
３０  操作パネル（表示装置）
３１  テンキー
３２  スタートキー
３７  操作表示部
３７ａ  液晶表示部
３７ｂ  タッチパネル部
３８  光源部
３８ａ  光源
３９  操作制御部
４０  記憶部
５０  コピー設定画面
５２  部数表示部（限定情報）
５４  設定表示部
５４ａ  用紙選択キー（限定入力キー）
【図１】
2012032580.tif 000003
【図２】
2012032580.tif 000004
【図３】
2012032580.tif 000005
【図４】
2012032580.tif 000006
【図５】
2012032580.tif 000007
【図６】
2012032580.tif 000008
【図７】
2012032580.tif 000009
【図８】
2012032580.tif 000010